(57)【要約】【課題】その支軸の周りに後ろ向きに跳ね除けることが出来るテーブルと、座板との間に、バックル付きの拘束バンドを緊張状態で張設したものに於いて、バックルの係・脱操作を容易・迅速に行え、バンドの長さも可変にしたテーブル付きの小児用椅子を提供する。【解決手段】拘束バンドＢは、バックル２１を介して係脱自在に連結した上側バンド２０Ａと下側バンド２０Ｂとを備え、両バンド２０Ａ，２０Ｂの各自由端側には、その長手方向の１箇所以上に抜止用部材２２を横方向から挿・脱させる為の挿嵌部ｂを設け、座板６及びテーブル８には、両バンド２０Ａ，２０Ｂの各自由端側を挿通させる為のスリット２３及び２４を設けて置き、緊張状態で張設されている拘束バンドＢを、バックル２１の箇所で切り離す時には、抜止用部材２２を一旦挿嵌部ｂから抜き取って、前記緊張状態を緩められる様にしたことを特徴とする。【選択図】　　　図２
0003096945.tif 000002
【実用新案登録請求の範囲】
【請求項１】
左右に対置した１組の板状脚の各対向面の上下方向に複数組の挿嵌溝を設け、そのいずれかの組を選んで、座板及び足載板を挿脱自在に挿嵌させ、且つ、１組の板状脚の各上部間に、小児の着座用スペースを設けたテーブルを、その基端側の支軸の周りに前後に回動自在に跨設し、
更に、座板とテーブルとの間に、テーブルの揺動を防ぐと共に、小児の過度の動きを拘束して安全を図る拘束バンドＢ跨設したものに於いて、
前記拘束バンドＢは、バックル２１を介して係脱自在に連結した上側バンド２０Ａと下側バンド２０Ｂとを備え、
両バンド２０Ａ，２０Ｂの各自由端側には、その長手方向の１箇所以上に抜止用部材２２を横方向から挿・脱させる為の挿嵌部ｂを設け、
座板６及びテーブル８には、両バンド２０Ａ，２０Ｂの各自由端側を挿通させる為のスリット２３及び２４を設けて置き、
緊張状態で張設されている拘束バンドＢを、バックル２１の箇所で切り離す時には、抜止用部材２２を一旦挿嵌部ｂから抜き取って、前記緊張状態を開放させられる様にしたことを特徴とするテーブル付きの小児用椅子。
【請求項２】
前記抜止用部材２２は、短小なロッド状体から成り、前記挿嵌部ｂは、２枚重ねにした拘束バンドＢの、長手方向の複数箇所にバンドを横切る様に設けた縫合ラインａの相互間に形成されて、扁平に潰された状態の筒状部から成ることを特徴とする請求項１記載のテーブル付きの小児用椅子。
【考案の詳細な説明】
【０００１】
【考案の属する技術分野】
本考案は、小児の成長等に連れて、テーブルと、座板及び足載板との間隔を容易に変えられる様に構成すると共に、座板とテーブルとの間に、テーブルの揺動を防ぎ、且つ、小児の過度の動きを拘束して安全を図る拘束バンドを跨設したテーブル付きの小児用椅子に関する。
【０００２】
【従来の技術】
本願出願人は、先に、テーブル付きの小児用椅子に就いて、実用新案登録出願し、［０００５］項に記した様に、「登録第３０９０９７０号」として、実用新案登録済みである。
【０００３】
この先願考案の椅子は、小児の成長に連れて、テーブルと、座板及び足載板との間隔を任意に調節出来る構造になっている。
又、テーブルの不使用時には、その後端側に設けた支軸の周りに回動させて、後ろ向きに跳ね除けられる様になっている（本願考案の図２参照）。
そとて、テーブルが不要になった時には、回転支軸の箇所で椅子本体から取り外せる様にもなっている。
【０００４】
更に、座板とテーブルとの間には、テーブルの揺動を阻止し、且つ、小児の過度の動きを拘束して安全を図る為の拘束バンドを、緊張状態で跨設する様にしている。
この拘束バンドは、上側バンドと下側バンドとを、バックルを介して係・脱自在に連結させた構成を備えており、上側バンドの上端をテーブルに固着させ、下側バンドの下端を座板に固着させている。
【０００５】
【特許文献１】
実用新案登録第３０９０９７０号
「テーブル付の多機能椅子」
【０００６】
【考案が解決しようとする課題】
上記の様に、拘束バンドは、その上端をテーブルに固着させ、下端を座板に固着させている。
そして、拘束バンドの、前述の役割を満足に果たさせるには、座板とテーブルとの間に弛み無く緊張状態で張設して置く必要がある。
その張設の際に、上側バンドと下側バンドとを、バックルを介して一体に連結させる操作は、当然のことながら、支障無く容易・迅速に行える。
【０００７】
ところが、用済みの拘束バンドを、いざ取り外そうとする時には、バックルの係・脱構造からして、緊張状態にある拘束バンドを、一旦緩めないと、バックルの箇所で拘束バンドを上下に切り離すことが出来ない。
然し、この緊張状態を緩める作業には、いささか手こずらされざるを得なかった。
【０００８】
そこで、本考案の目的は、付設のテーブルを、その後端側の支軸の周りに回動させられ、且つ、テーブルと座板との間に、テーブルの揺動と、小児の過度の動きを防いで安全を図る為の拘束バンドを張設し、更には、テーブルと座板及び足載板との間隔を可変に構成したものに於いて、
緊張状態で張設されている拘束バンドを、バックルの箇所で上下に切り離す操作を容易・迅速に取り外せる様にし、併せて、拘束バンドの長さを可変にしたテーブル付きの小児用椅子を提供するにある。
【０００９】
【課題を解決するための手段】
上記の目的を達成する為の、本考案によるテーブル付きの小児用椅子は、
左右に対置した１組の板状脚の各対向面の上下方向に複数組の挿嵌溝を設け、そのいずれかの組を選んで、座板及び足載板を挿脱自在に挿嵌させ、且つ、１組の板状脚の各上部間に、小児の着座用スペースを設けたテーブルを、その基端側の支軸の周りに前後に回動自在に跨設し、
更に、座板とテーブルとの間に、テーブルの揺動を防ぐと共に、小児の過度の動きを拘束して安全を図る拘束バンドＢ跨設したものに於いて、
前記拘束バンドＢは、バックル２１を介して係脱自在に連結した上側バンド２０Ａと下側バンド２０Ｂとを備え、
両バンド２０Ａ，２０Ｂの各自由端側には、その長手方向の１箇所以上に抜止用部材２２を横方向から挿・脱させる為の挿嵌部ｂを設け、
座板６及びテーブル８には、両バンド２０Ａ，２０Ｂの各自由端側を挿通させる為のスリット２３及び２４を設けて置き、
緊張状態で張設されている拘束バンドＢを、バックル２１の箇所で切り離す時には、抜止用部材２２を一旦挿嵌部ｂから抜き取って、前記緊張状態を開放させられる様にしたことを特徴とする。
そして、抜止用部材２２は、短小なロッド状体から成り、前記挿嵌部ｂは、２枚重ねにした拘束バンドＢの、長手方向の複数箇所にバンドを横切る様に設けた縫合ラインａの相互間に形成されて、扁平に潰された状態の筒状部から成ることも特徴とする。
【００１０】
【考案の実施の形態】
以下に、本考案の一実施例に就いて、図１〜図９を参照しながら説明する。
この実施例の、テーブル付の小児用椅子は、図２に側面図として示した様に、椅子本体Ａに、拘束バンドＢを付属させている。
テーブルと座板とを結ぶ様に跨設した拘束バンドＢは、使用中のテーブルの揺動を防ぎ、且つ、椅子に着座した小児の股間に位置させて、大腿部の過度の動きを拘束して安全を図る為のものである。
尚、図２中では、拘束バンドＢを、弛ませた状態で示している。
【００１１】
椅子本体Ａは、その斜視図としての図１、側面図としての図２、及び正面図としての図３に示した様に、やや後ろ向きに傾斜せた状態で、左右に所定間隔を隔てて対置した１組の板状脚１，１と、その各下端部間に跨設した脚台部２、及び各上部間に跨設した背もたれ板３，４とによって、その骨格部分を構成している。
【００１２】
そして、１組の板状脚１，１の各対向面には、左右１組の横向きの挿嵌溝５，５の複数組を、上下方向に所定間隔を隔てて設けている。
対向する挿嵌溝５，５間には、座板６、又は足載板７の左右両端を挿脱自在に挿嵌させる様にしている。
【００１３】
更に、板状脚１，１の各上部間には、その後部側に小児の胴部を受け入れるに足る広さの着座用スペースＳ（図４参照）を設けたテーブル８を、後述する連結ピンを介して跨設している。
その為、テーブル８は、連結ピンの周りに、前後に自由に回動させることが出来る（図２参照）。
【００１４】
次に、椅子本体Ａの細部の構造に就いて、以下に順次説明する。
この実施例の、椅子本体Ａは、一部の組立用部材を除いて、木製である。然し、木製には限られず、素材として、合成樹脂や金属を選んでもよい。
板状脚１は、所定長さのほぼ帯板状に形成されており、約３０度後ろ向きに傾けた状態で、その１組が対置される。
板状脚１の上方の幼児の胴部が触れる部分には、丸みを帯びた山形の側板１ａを、板状脚１と一体に前向きに突設している。
【００１５】
更に、図３に示した様に、左右の板状脚１，１の各対向面には、上端近くを除いて、左右１組の横向きの挿嵌溝５，５を、約３糎の間隔を隔てて、上下方向に複数組設けている。
板状脚１，１間の上端近くには、背中の形状に合わせて曲げ加工した帯板状の２枚の背もたれ板３，４を、締結ボトル９を使って、所定間隔を隔てて跨設している。
【００１６】
板状脚１，１の各下端には、上面視コ字形のフレーム状をした脚台部２の、両脚端を合体させている。
尚、図１〜図３に示した様に、脚台部２は、コ字の上下の横画に相当する２本の併置材２ａ，２ａの各後端間に、横架材２ｂを、締結ボルト１０を使って橋絡状に連結させた構成を備えている。
【００１７】
更に、板状脚１，１間には、図２，図３に示した様に、その下端箇所と、中間高さ位置との２箇所に、連結バー１１を架け渡し、それ等の両端には、板状脚１を貫通させた連結ボルト１２を螺じ込んで、板状脚１に固定させている。
【００１８】
座板６、及び足載板７は、ほぼ矩形板状に形成されており、夫々の左右の側端は、挿嵌溝５にスムーズに挿嵌させ得る様に、丸みを持たせている。
座板６、及び足載板７は、板状脚１に挿通させた連結ボトル１２，９を完全に螺じ込むことによって、左右１組の板状脚１，１間で不動状態に締付けられる。
【００１９】
次に、テーブル８は、図４に示した様に、長尺角材をほぼＵ形に曲げ加工して作られたフレーム８Ａの前半部分の内側面に設けた嵌込溝（図示略）に、天板８Ｂを嵌め込んだ構成を備えている。
テーブル８の後半域の、天板８Ｂを欠如させた部分は、椅子Ａに着座した小児の胴部を受け入れる為の着座用スペースＳとなる。
【００２０】
フレーム８Ａの後ろ側の両端には、図４に示した様に、水平向きの軸孔１３を対向状に設けている。
この軸孔１３には、テーブル８の回動軸となる軸ボルト（連結ピン）１４が挿通され、その先端は、板状脚１に埋設したナット（図示略）に螺じ込まれる。軸ボルト１４の基端には、回動用のツマミ１４ａを取付けている。
【００２１】
更に、フレーム８Ａには、軸孔１３から前方に所定距離隔たった箇所の下面に、ほぼ半円盤状の掛合用凹部１５（図２，図４参照）を下向きに設けている。
この掛合用凹部１５は、図２に示した様に、板状脚１の上部外側面に取付けた小円盤状の掛止用突片１６に引っ掛けることによって、軸ボルト１４の周りに回動自在のテーブル８を、水平向きの使用位置に安定状態で固定させる為のものである。
【００２２】
そして、図２，図３に示した様に、座板６の前側中央部と、テーブル８の下面中央部との間には、使用中のテーブル８の揺動を防ぎ、又、小児の過度の動きを拘束して安全を図る為の拘束バンドＢを跨設している。
【００２３】
この実施例の拘束バンドＢは、図５〜図９に示した様に、その上端をテーブル８側に係脱自在に取付けられる上側バンド２０Ａと、その下端を座板６側に係脱自在に取付けられる下側バンド２０Ｂと、両バンド２０Ａ，２０Ｂを係脱自在に連結させるバックル２１とから成る。
バックル２１は、１組の締結フック２１Ａ及び２１Ｂで構成されている。
【００２４】
下側バンド２０Ｂには、図５に示した様に、その長手方向の複数箇所に、バンドを横切る様にして縫合ラインａを設けている。
そして、隣り合う各１組の縫合ラインａ，ａ間に、扁平に潰された状態の筒状の挿嵌部ｂを夫々形成させている。
【００２５】
この筒状の挿嵌部ｂには、図５，図６に示した様に、短小なロッド状をした抜止用部材２２を、挿・脱自在に挿し込める様にしている。
【００２６】
一方、上側バンド２０Ａには、図７，図８にも示した様に、その上端部の１箇所だけに、抜止用部材２２を挿・脱させる為の挿嵌部ｂを形成させている。
【００２７】
そして、座板６には、前端縁近くの真ん中箇所に、下側バンド２０Ｂを挿通させる為のスリット２３を設けている。
又、テーブル８の下面の後端縁の近くに、図７，図８に示した様に、上側バンド２０Ａを挿通させるスリット２４を設けた横桟２５を螺止している。
【００２８】
次に、上記実施例の小児用椅子の使い方に就いて、その一例を説明する。
椅子本体Ａは、保管・輸送時には、脚台部２の併置材２ａを一体化させた２枚の板状脚１，１と、横架材２ｂと、２枚の背もたれ板３，４と、座板６及び足載板７と、テーブル８と、２本の連結バー１１，１１との、各構成部材に分解した状態で、極めてコンパクトに梱包することが出来る。
【００２９】
椅子の使用時には、これ等の各構成部材を、各２本１組の、複数組のボルト９，１０，１２，１４を使って、日曜大工の経験が無い人でも、図１に示した形態に簡単・迅速に組立てることが出来る。
【００３０】
その組立の際には、座板６と足載板７との高さ位置を、約３糎刻みで、小児の体形に適合する様に調整することが出来る。
それには、座板６と足載板７とを組付けてない状態で、椅子本体Ａを一応組立て終えてから、連結ボルト１２を幾分緩めるか、或いは、連結ボルト１２を完全に締付けない状態で、椅子本体Ａを一応組立てれば、この状態で、板状脚１，１の対向間隔を幾分拡げられる。
【００３１】
その為、座板６と足載板７とを、対向して位置する複数組の挿嵌溝５，５のいずれかに、選択的に自由に抜き・挿しすることが出来る。
又、小児の成長に連れて、座板６及び足載板７の高さ位置を調整したい時にも、連結ボトル１２を一旦緩めれば簡単に外せる。
【００３２】
座板６及び足載板７の望ましい高さ位置を選定して、夫々の挿嵌溝５に挿嵌し終えたら、緩ませてある連結ボルト１２を完全に締付ければ、座板６及び足載板７は不動状態になって、椅子本体Ａを、図１に示した状態に組立てる作業は完了する。
【００３３】
次に、椅子本体Ａに拘束バンドＢを取付ける。
それには、拘束バンドＢを、バックル２１の箇所で上下に二分割したうえ、図６に示した様に、下側バンド２０Ｂの下端側を、座板６のスリット２３にその上側から挿通させたうえ、複数の挿嵌部ｂのいずれかを仮に選んで、抜止用部材２２を挿嵌させれば、図から理解される様に、下側バンド２０Ｂを抜止状態で座板６に取付けることが出来る。
【００３４】
又、下側バンド２０Ａも、図７に示した様に、その上端側をスリット２４に挿通させたうえ、上端に設けた挿嵌部ｂに抜止用部材２２を挿嵌させれば、
上側バンド２０Ａを、テーブル８の下面側に抜止状態で取付けることが出来る。
【００３５】
この様にして拘束バンドＢの取付けも終え、テーブル８が水平向きの使用位置にセットされている椅子に、小児を着座させるには、座板６上に置きクッション（図示略）等を載せたうえ、小児を抱き抱えて足先からテーブル８の着座用スペースＳに差し入れ、座板６の上に腰掛けさせればよい。
【００３６】
或いは、着座させる時に邪魔になるテーブル８は、図２中に仮想線で示した様に、予め、椅子本体Ａの後ろ側に回動させ置き、小児を座板６に上に腰掛けさせてから、テーブル８を、実線で示した使用位置に迄前向きに回動させてもよい。その場合には、勿論、回動中のテーブル８が、腰掛けている小児に触れない様に、その形状・寸法が設定されていることが前提要件となる。
【００３７】
最後に、下側バンド２０Ｂの挿嵌部ｂに仮挿嵌させて置いた抜止用部材２２を抜き取ったうえで、上側バンド２０Ａと、下側バンド２０Ｂとを、バックル２１によって連結させる。
然かる後、下側バンド２０Ｂを下向きに引っ張り、拘束バンドＢを緊張状態したうえで、座板６の下面に最も接近して位置する挿嵌孔ｂに抜止用部材２２を差し込めば、拘束バンドＢは、座板６とテーブル８と間に緊張状態で張設される。
かくして、テーブル８は、その使用中の揺動を確実に防がれる。
【００３８】
そして、テーブル８を、椅子本体Ａの後ろ側に跳ね除けたい時には、拘束バンドＢをバックル２１の箇所で上下に切り離す操作が必要になる。
然し、拘束バンドＢは、上記の様に緊張状態で張設されているので、バックル２１は簡単には外れない。
ところが、下側バンド２０Ｂの抜止用部材２２を、一旦、挿嵌孔ｂから抜き取ってしまえば、緊張状態の拘束バンド２０を緩めることが出来る。
そこで、バックル２１を簡単に外すことが出来る。
【００３９】
又、既述の様に、座板６とテーブル８との間隔を調節したい時にも、下側バンド２０Ｂに縦列状に設けた複数の挿嵌部ｂのいずれかを選んで、抜止用部材２２を挿嵌させる方法によって、上記の間隔調節に簡単に対応出来る。
【００４０】
【考案の効果】
以上の説明によって明らかな様に、本考案によるテーブル付きの小児用椅子は、既述の先願考案のもの等に比べて、以下に列挙した如き実用上の優れた効果を発揮する。
（ａ）上側バンドと下側バンドとをバックルを介して連結させた拘束バンドは、緊張状態で張設するので、連結解除の操作がし難いが、抜止用部材をその挿嵌部から一旦抜き取ることによって拘束バンドが緩み、容易に連結を解くことが出来る様になる。
（ｂ）座板とテーブルとの間隔を調節する時には、複数の挿嵌部のいずれかに、抜止用部材を選択的に挿嵌させる方法によって、上記の間隔調節に対応出来る。
（ｃ）テーブルは、その取付基部の周りに前後に回動自在なので、テーブルが邪魔な時には、椅子の後ろ側に跳ね除けられる。
【図面の簡単な説明】
【図１】本考案の一実施例を示すもので、小幼児椅子の使用状態を示す斜視図である。
【図２】同上、図１の側面視図である。
【図３】同上、図２の正面視図である。
【図４】同上、テーブルの上面視図である。
【図５】同上、拘束バンドを、裏返した座板の上に載せ置いた状態を示す斜視図である。
【図６】同上、拘束バンドを取り付けた座板の下面視斜視図である。
【図７】同上、拘束バンドを取り付けたテーブルの下面視斜視図である。
【図８】同上、拘束バンドを取り外した状態での、テーブルの下面視部分拡大斜視図である。
【図９】同上、拘束バンドを、テーブルと座板との間に緊張状態で張設した有様を示す部分拡大側面図である。
【符号の説明】
Ａ　椅子本体
Ｂ　拘束バンド
Ｓ　着座スペース
１　板状脚
１ａ　側板
２　脚台部
２ａ　併置材
２ｂ　横架材
３，４　背もたれ
５　挿嵌溝
６　座板
７　足載板
８　テーブル
８Ａ　フレーム
８Ｂ　天板
９，１０　締結ボトル
１１　連結バー
１２　連結ボトル
１３　軸孔
１４　軸ボトル（連結ピン）
１４ａ　ツマミ
１５　掛合用凹部
１６　掛止用突片
２０Ａ　上側バンド
２０Ｂ　下側バンド
２１　バックル
２１Ａ，２１Ｂ　締結フック
２２　抜止用部材
２３，１４　スリット
２５　横桟
ａ　縫合ライン
ｂ　挿嵌部
【図１】
0003096945.tif 000003
【図２】
0003096945.tif 000004
【図３】
0003096945.tif 000005
【図４】
0003096945.tif 000006
【図５】
0003096945.tif 000007
【図６】
0003096945.tif 000008
【図７】
0003096945.tif 000009
【図８】
0003096945.tif 000010
【図９】
0003096945.tif 000011